(57)【要約】      （修正有）【課題】従来よりも使用性の良い炊飯器を提供する。【解決手段】加熱手段を有する加熱ユニット１０と、内釜３を収容し、加熱ユニットに取り付けられる本体ユニット１と、加熱ユニットに取り付けられた本体ユニットを加熱ユニットに固定するように動作するロック機構２０と、各種操作指示を受け付ける操作手段と、ロック機構を制御する制御手段と、を備え、制御手段は、操作手段の操作に基づいてロック機構の動作を開始させる。【選択図】図３
2017047096.tif 000002
【特許請求の範囲】
【請求項１】
加熱手段を有する加熱ユニットと、
内釜を収容し、前記加熱ユニットに取り付けられる本体ユニットと、
前記加熱ユニットに取り付けられた前記本体ユニットを前記加熱ユニットに固定するように動作するロック機構と、
各種操作指示を受け付ける操作手段と、
前記ロック機構を制御する制御手段と、を備え、
前記制御手段は、
前記操作手段の操作に基づいて前記ロック機構の動作を開始させる
炊飯器。
【請求項２】
前記制御手段は、
前記加熱手段の駆動を開始する炊飯モードを有し、前記炊飯モードを実行する前記操作手段の操作に基づいて前記ロック機構の動作を開始させる
請求項１に記載の炊飯器。
【請求項３】
前記制御手段は、
前記加熱手段の駆動を開始する駆動タイミングが経過するまで前記加熱手段の駆動を停止する予約モードを有し、前記予約モードを実行する前記操作手段の操作に基づいて前記ロック機構の動作を開始させる
請求項１に記載の炊飯器。
【請求項４】
前記制御手段は、
前記加熱手段の駆動を開始した後に前記加熱手段の駆動が停止すると前記ロック機構の動作を解除させる
請求項１〜請求項３の何れか一項に記載の炊飯器。
【請求項５】
前記加熱ユニットに取り付けられた前記本体ユニットが基準取付位置に位置しているか否かを判定する基準位置判定手段を更に備え、
前記制御手段は、
前記ロック機構の動作を開始させた後、前記本体ユニットが前記基準取付位置に位置していない場合に、前記ロック機構の動作を解除させる
請求項１〜請求項４の何れか一項に記載の炊飯器。
【請求項６】
前記内釜に収容されている収容物の有無を検出する収容物検出手段を更に備え、
前記制御手段は、
前記ロック機構の動作を開始させた後、前記内釜に収容物が収容されていない場合に、前記ロック機構の動作を解除させる
請求項１〜請求項４の何れか一項に記載の炊飯器。
【請求項７】
報知手段を更に備え、
前記制御手段は、
前記ロック機構の動作を開始させた後、前記本体ユニットが前記基準取付位置に位置していない場合に、前記本体ユニットが前記基準取付位置に位置していない旨を前記報知手段に報知させる
請求項５に記載の炊飯器。
【請求項８】
報知手段を更に備え、
前記制御手段は、
前記ロック機構の動作を開始させた後、前記内釜に収容物が収容されていない場合に、前記内釜に収容物が収容されていない旨を前記報知手段に報知させる
請求項６に記載の炊飯器。
【請求項９】
前記ロック機構は、
棒状のロック体と、
前記ロック体を進退させるソレノイドと、を備え、
前記加熱ユニットに設けられている
請求項１〜請求項８の何れか一項に記載の炊飯器。
【請求項１０】
前記本体ユニットには、
外面から内面に向かって凹形状となる挿入孔が設けられ、
前記本体ユニットが前記基準取付位置に位置している場合に前記ロック機構の動作が開始すると、前記ロック体は、前記加熱ユニットの内壁よりも前記本体ユニット側に進出して前記挿入孔に挿入される
請求項５に従属する請求項９又は請求項７に従属する請求項９に記載の炊飯器。
【発明の詳細な説明】
【技術分野】
【０００１】
本発明は、炊飯器に関し、特に、加熱ユニットと、加熱ユニットから取り外し可能になっている本体ユニットと、を備えた炊飯器に関する。
【背景技術】
【０００２】
従来、加熱ユニットと、加熱ユニットから取り外し可能になっているおひつユニット（本体ユニット）と、を備えた炊飯器があった（特許文献１参照）。
【先行技術文献】
【特許文献】
【０００３】
【特許文献１】特開２００１−２０４６２１号公報
【発明の概要】
【発明が解決しようとする課題】
【０００４】
しかしながら、特許文献１に記載の炊飯器においては、本体ユニットが加熱ユニットに取り付けられた状態で操作手段の操作に基づく各種モードを実行している場合に、本体ユニットが加熱ユニットに固定されていないため、本体ユニットが加熱ユニットから意図しないで取り外される可能性がある。このため、操作手段の操作に基づく各種モードを実行している場合に、本体ユニットが加熱ユニットから意図しないで取り外されると、操作手段の操作に基づく各種モードの実行が継続されないため、使用性が悪いという課題があった。
【０００５】
本発明は、上述のような課題を背景としてなされたもので、従来よりも使用性の良い炊飯器を得ることを目的とする。
【課題を解決するための手段】
【０００６】
本発明の炊飯器は、加熱手段を有する加熱ユニットと、内釜を収容し、前記加熱ユニットに取り付けられる本体ユニットと、前記加熱ユニットに取り付けられた前記本体ユニットを前記加熱ユニットに固定するように動作するロック機構と、各種操作指示を受け付ける操作手段と、前記ロック機構を制御する制御手段と、を備え、前記制御手段は、前記操作手段の操作に基づいて前記ロック機構の動作を開始させるものである。
【発明の効果】
【０００７】
本発明によれば、操作手段の操作に基づいて前記ロック機構の動作を開始させることができる。このため、操作手段の操作に基づく各種モードを実行している場合に、加熱ユニットから本体ユニットを取り外すような力が加わっても、本体ユニットが加熱ユニットに取り付けられた状態を維持し、各種モードの実行を継続することができる。したがって、従来よりも使用性の良い炊飯器を得ることができる。
【図面の簡単な説明】
【０００８】
【図１】本発明の実施の形態１に係る炊飯器１００の全体斜視図を示す図である。
【図２】本発明の実施の形態１に係る炊飯器１００の操作表示部１１を示す図である。
【図３】本発明の実施の形態１に係る炊飯器１００の本体ユニット１が加熱ユニット１０から取り外された状態を示す縦断面図である。
【図４】本発明の実施の形態１に係る炊飯器１００の制御ブロック図を示す図である。
【図５】本発明の実施の形態１に係る炊飯器１００の本体ユニット１が加熱ユニット１０に取り付けられた状態を示す縦断面図である。
【図６】図５の平面図である。
【図７】本発明の実施の形態１に係る炊飯器１００の制御手段５０の制御内容を示すフローチャートである。
【図８】本発明の実施の形態２に係る炊飯器１００の制御手段５０の制御内容を示すフローチャートである。
【発明を実施するための形態】
【０００９】
以下、本発明の炊飯器について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１０】
実施の形態１．
図１は本発明の実施の形態１に係る炊飯器１００の全体斜視図を示す図である。なお、図１の実線両矢印方向が本体ユニット１及び加熱ユニット１０の左右方向であるものとする。また、図１の破線両矢印方向が本体ユニット１及び加熱ユニット１０の前後方向であるものとする。図１に示されるように、炊飯器１００は、本体ユニット１と、加熱ユニット１０と、を備える。本体ユニット１は、炊飯器本体１ａと、本体ユニット１の上部に開閉自在に取り付けられる蓋体１ｂと、把持部１ｃと、を備える。加熱ユニット１０は、本体ユニット１を載置するためのものであり、操作表示部１１を備える。加熱ユニット１０は、例えば、炊飯器１００の側面視において略Ｌ字形状に構成されている。
【００１１】
炊飯器本体１ａの前面には蓋開閉ボタン８が設けられている。蓋開閉ボタン８は、例えば、本体ユニット１の前面側から背面側に向かう力が加えられることで蓋体１ｂが開放されるように構成されている。図１に示される状態で、蓋開閉ボタン８に対して本体ユニット１の前面側から背面側に向かう力が加えられることで、蓋体１ｂが開放する。把持部１ｃは、例えば、本体ユニット１が加熱ユニット１０に取り付けられた状態において、本体ユニット１を持ち上げるための部材であり、炊飯器本体１ａに取り付けられている。
【００１２】
図２は本発明の実施の形態１に係る炊飯器１００の操作表示部１１を示す図である。図３は本発明の実施の形態１に係る炊飯器１００の本体ユニット１が加熱ユニット１０から取り外された状態を示す縦断面図である。図４は本発明の実施の形態１に係る炊飯器１００の制御ブロック図を示す図である。なお、図３は、図１の本体ユニット１及び加熱ユニット１０の左右方向の中心を通るように本体ユニット１及び加熱ユニット１０の前後方向に切断した場合における縦断面図である。
【００１３】
図２に示されるように、操作表示部１１は、タイマー操作部１１ａと、時間調整部１１ｂと、表示手段１１ｃと、炊飯ボタン１１ｄと、取消／保温ボタン１１ｅと、を備える。なお、タイマー操作部１１ａと、時間調整部１１ｂと、炊飯ボタン１１ｄと、取消／保温ボタン１１ｅと、を操作手段１２と総称することがあるものとする。操作手段１２は、各種操作指示を受け付けるものである。
【００１４】
タイマー操作部１１ａは、例えば、予約モードを実行するための操作部である。タイマー操作部１１ａが操作されると、使用者は、炊飯を実行（開始または完了）する時間を設定することができる。時間調整部１１ｂは、例えば、予約モードを実行する場合において炊飯を開始または完了する時刻を設定するための操作部である。
【００１５】
ここで「予約モード」とは、例えば、加熱手段１４の駆動を開始する駆動タイミングが経過するまで加熱手段１４の駆動を停止し、加熱手段１４の駆動を開始する駆動タイミングが経過すると加熱手段１４の駆動を開始するモードである。
【００１６】
なお、時間調整部１１ｂは、予約モードを実行する場合において、炊飯を開始または完了する時刻を設定するように構成される例に限定されるものではない。時間調整部１１ｂは、予約モードを実行する場合において、現在時間から起算して炊飯を開始または完了する時刻までの時間を設定するように構成されていてもよい。時間調整部１１ｂが操作されると、使用者は、例えば、予約モードを実行する場合において炊飯を行う時間を１時間単位で調整し、また、使用者は、例えば、予約モードを実行する場合において炊飯を行う時間を１分単位で調整することができる。
【００１７】
表示手段１１ｃは、各種情報を表示する表示手段である。表示手段１１ｃは、例えば、ＬＣＤ（Ｌｉｑｕｉｄ  Ｃｒｙｓｔａｌ  Ｄｉｓｐｌａｙ）、有機ＥＬ（Ｅｌｅｃｔｒｏ  Ｌｕｍｉｎｅｓｃｅｎｃｅ）等で構成されている。表示手段１１ｃは、例えば、予約モード、炊飯モード、保温モード等の実行中のモードを表示する。また、表示手段１１ｃは、例えば、現在時刻を表示する。表示手段１１ｃは、例えば、予約モードが実行されている場合において炊飯を開始するまでの残り時間を表示する。
【００１８】
炊飯ボタン１１ｄは、炊飯モードを開始するための操作部である。炊飯ボタン１１ｄが操作されることで、炊飯モードが開始される。取消／保温ボタン１１ｅは、保温モードが実行されていない場合において保温モードを実行するための操作部であり、保温モードが実行されている場合において保温モードの実行を取り消すための操作部である。保温モードが実行されていない場合に取消／保温ボタン１１ｅが操作されると保温モードが実行される。保温モードが実行されている場合に取消／保温ボタン１１ｅが操作されると保温モードの実行が取り消される。
【００１９】
図３に示されるように、本体ユニット１は、内釜３と、内釜３を収容する収納部４と、ヒンジ軸６と、を備える。本体ユニット１には、外面から内面に向かって凹形状となる挿入孔１ａ１が設けられている。挿入孔１ａ１は、例えば、本体ユニット１の背面に設けられ、本体ユニット１の背面側から本体ユニット１の前面側に向かって凹形状となっている。加熱ユニット１０は、操作表示部１１（図２）に加えて、ファンモータ１３と、加熱手段１４と、底センサー１５と、ロック機構２０と、制御手段５０と、を備える。
【００２０】
内釜３は、上部に開口部を有する略有底筒状の部材である。内釜３には、例えば米等の収容物が投入される。加熱手段１４は、内釜３の内部に収納される収容物を加熱するものである。底センサー１５は、内釜３の温度を検出する温度検出手段である。底センサー１５は、例えば、内釜３の温度上昇勾配が所定値よりも大きい場合に、内釜３内に収容物が収容されていないと判定し、内釜３の温度上昇勾配が所定値以下の場合に、内釜３内に収容物が収容されていると判定する。底センサー１５が本発明の収容物検出手段に相当する。
【００２１】
なお、内釜３内に収容物が収容されているか否かを判定する手段は、底センサー１５である例に限定されるものでなく、内釜３の収容物の有無を判定出来る構成となっていればよい。例えば、底センサー１５に代えて、内釜３の重量を検出して検出した重量に基づいて内釜３内に収容物が収容されているか否かを判定する構成としてもよい。
【００２２】
ロック機構２０は、本体ユニット１を加熱ユニット１０に固定するように動作するものであり、ロック体２１と、ソレノイド２２と、付勢バネ２３と、を備える。ロック体２１は、例えば、ロック機構２０の動作を開始し、ロック機構２０の動作を解除した場合において加熱ユニット１０の前後方向において変位する棒状の部材である。ロック体２１は、具体的には例えば、ロック機構２０の動作を開始した場合、すなわち、ソレノイド２２に通電された場合に、加熱ユニット１０の内壁よりも本体ユニット１側に進出する。ロック体２１は、具体的には例えば、ロック機構２０の動作を解除した場合、すなわち、ソレノイド２２に通電されない場合に、加熱ユニット１０の後方に退避する。ソレノイド２２は、ロック体２１を加熱ユニット１０の前後方向において進退させるものである。ロック体２１が前方に進出してロック体２１が挿入孔１ａ１に挿入されると、本体ユニット１の上下方向及び左右方向の変位が規制される。その結果、本体ユニット１に上方向または左右方向の力が加わっても、本体ユニット１が加熱ユニット１０に取り付けられた状態が維持される。ロック体２１が挿入孔１ａ１に挿入された状態で、ロック機構２０の動作が解除されると、ロック体２１が後方に退避し、本体ユニット１の上下方向及び左右方向の変位が規制されなくなる。その結果、加熱ユニット１０から本体ユニット１を上方向に取り出すことができる。
なお、図３、図５において、例えば、炊飯器本体１ａの下面の中心側の凹部（加熱手段１４と対向する部分）が、これに対向する加熱ユニット１０の上面（加熱手段１４の上方の部分）の凸部と嵌り合うように形成すれば、これにより、本体ユニット１の左右方向及び前後方向の変位も規制される。この場合、ロック体２１が前方に進出してロック体２１が挿入孔１ａ１に挿入されると、本体ユニット１に上方向、左右方向または前後方向の力が加わっても、本体ユニット１が加熱ユニット１０に取り付けられた状態が維持される。
【００２３】
なお、以上の説明においては、ソレノイド２２がロック体２１を加熱ユニット１０の前後方向において進退させる例について説明したが、これに限定されない。
【００２４】
図４に示されるように、操作手段１２の入力情報、底センサー１５の検出結果、及び基準位置判定手段３３の判定結果が制御手段５０に入力される。制御手段５０は、操作表示部１１の入力情報、底センサー１５の検出結果、及び基準位置判定手段３３の判定結果に基づいて、加熱手段１４、ロック機構２０、及び報知手段７０等を制御する。
【００２５】
基準位置判定手段３３は、本体ユニット１が基準取付位置に位置しているか否かを判定するものである。ここで、基準取付位置は、例えば、ロック体２１の水平方向に挿入孔１ａ１が位置しており、かつ、ロック体２１を前方に進出したときにロック体２１が挿入孔１ａ１の所定の位置まで挿入される状態を指す。基準位置判定手段３３は、ロック体２１の電極（図示省略）と、炊飯器本体１ａのうち挿入孔１ａ１が形成されている内壁面に設けられている電極（図示省略）と、が接触したか否かを判定する。基準位置判定手段３３は、例えば、ロック体２１が挿入孔１ａ１の所定の位置まで挿入された状態で、ロック体２１の先端付近の側面上に形成された電極Ａ（図示省略）と、挿入孔１ａ１が形成されている内壁面に離れて絶縁されて形成された二つの電極Ｂ及び電極Ｃ（図示省略）と、が接触して、電極Ｂ−電極Ａ−電極Ｃ−電極Ｂという回路が形成された場合には、本体ユニット１が基準取付位置に位置しているものと判定する。
【００２６】
制御手段５０は、例えば、この機能を実現する回路デバイスなどのハードウェア、又はマイコン若しくはＣＰＵなどの演算装置上で実行されるソフトウェアで構成される。制御手段５０は、各種情報を記憶する記憶手段５０ａと、各種時間を計時する計時手段５０ｂと、を備える。
【００２７】
なお、制御手段５０が、記憶手段５０ａと、計時手段５０ｂと、を備える構成に限定されるものではない。例えば、記憶手段５０ａ及び計時手段５０ｂが、制御手段５０とは別に構成されており、記憶手段５０ａ及び計時手段５０ｂの出力が制御手段５０に入力されるような構成となっていてもよい。
【００２８】
報知手段７０は、制御手段５０から出力された制御信号に基づいて炊飯器１００の動作状態に関する情報を出力するものであり、例えば、表示手段１１ｃで構成される。報知手段７０が表示手段１１ｃで構成される場合には、予約モードが実行されている場合において、表示手段１１ｃは、加熱手段１４の駆動を開始する駆動タイミングを表示する。
【００２９】
なお、「駆動タイミングを表示する」とは、加熱手段１４を駆動させる開始時刻を表示するものであってもよいし、加熱手段１４を駆動させるまでの残り時間を表示するものであってもよい。何れの構成とした場合においても、炊飯を行う予定のある場合に、使用者に対して加熱手段１４の駆動タイミングを知らせることができる。
【００３０】
また、報知手段７０は、表示手段１１ｃで構成される例に限定されるものでなく、例えば、音声（ガイド音声）を出力するスピーカーで構成されていてもよい。なお、報知手段７０が音声を出力する構成となっている場合には、予約モードが実行されている場合において、例えば、加熱手段１４を駆動させる開始時刻又は加熱手段１４を駆動させるまでの残り時間を音声出力する。また、報知手段７０が音声を出力する構成となっている場合には、音声は予め設定されている音量又は使用者により設定された音量で出力される。また、報知手段７０が音声を出力する構成となっている場合には、例えば、音量は複数段階に設定できるようになっている。
【００３１】
図５は本発明の実施の形態１に係る炊飯器１００の本体ユニット１が加熱ユニット１０に取り付けられた状態を示す縦断面図である。図６は図５の平面図である。図５，図６に示されるように、本体ユニット１が加熱ユニット１０に取り付けられると、ロック機構２０の動作が開始し、ロック体２１は、加熱ユニット１０の内壁よりも本体ユニット１側に進出して挿入孔１ａ１の底部まで挿入され、本体ユニット１の上下方向の変位が規制される。
【００３２】
図７は本発明の実施の形態１に係る炊飯器１００の制御動作を示すフローチャートである。以下に、本実施の形態１に係る炊飯器１００の制御フローチャートの例について、図７のステップＳ１０〜ステップＳ８０を参照して説明する。炊飯器１００に電源が接続されると制御手段５０が起動され、ステップＳ１０に移行する。
【００３３】
ステップＳ１０において、制御手段５０は、操作表示部１１の操作がされて炊飯モード又は保温モードが実行されると、ステップＳ２０に移行する。ステップＳ２０において、制御手段５０は、ロック機構２０の動作を開始させ、ステップＳ３０に移行する。
【００３４】
ステップＳ３０において、制御手段５０は、基準位置判定手段３３の判定結果に基づいて、加熱ユニット１０に取り付けられる本体ユニット１が基準取付位置に位置しているか否か判定する。
ステップＳ３０において、制御手段５０は、加熱ユニット１０に取り付けられる本体ユニット１が基準取付位置に位置していると判定した場合には（ステップＳ３０においてＹＥＳ）、ステップＳ４０に移行する。
一方、ステップＳ３０において、制御手段５０は、加熱ユニット１０に取り付けられる本体ユニット１が基準取付位置に位置していないと判定した場合には（ステップＳ３０においてＮＯ）、ステップＳ３１に移行する。
【００３５】
ステップＳ３１において、制御手段５０は、ロック機構２０の動作を解除させ、ステップＳ３２に移行する。ステップＳ３２において、制御手段５０は、所定の第１報知内容を報知手段７０に報知させる。ここで、「所定の第１報知内容」は、例えば、本体ユニット１が加熱ユニット１０に正常に取り付けられていないことを示すものである。
【００３６】
ステップＳ４０において、制御手段５０は、底センサー１５の検出内容に基づいて、内釜３の内部に収容物が収容されているか否かを判定する。
ステップＳ４０において、制御手段５０は、内釜３の内部に収容物が収容されていると判定した場合には（ステップＳ４０においてＹＥＳ）、ステップＳ５０に移行する。
一方、ステップＳ４０において、制御手段５０は、内釜３の内部に収容物が収容されていないと判定した場合には（ステップＳ４０においてＮＯ）、ステップＳ６２に移行する。
【００３７】
ステップＳ５０において、制御手段５０は、計時手段５０ｂに計時を開始させる。制御手段５０は、ステップＳ１０において炊飯モードを実行した場合には、炊飯モードを実行するように加熱手段１４を駆動させ、ステップＳ６０に移行する。また、ステップＳ５０において、制御手段５０は、ステップＳ１０において保温モードを実行した場合には、保温モードを実行するように加熱手段１４を駆動させ、ステップＳ６０に移行する。
【００３８】
ステップＳ６０において、制御手段５０は、電力が炊飯器１００に継続して供給されているか否かを判定する。
ステップＳ６０において、制御手段５０は、電力が炊飯器１００に継続して供給されている場合には（ステップＳ６０においてＹＥＳ）、ステップＳ７０に移行する。
一方、ステップＳ６０において、制御手段５０は、電力が炊飯器１００に継続して供給されていない場合には（ステップＳ６０においてＮＯ）、ステップＳ６２に移行する。
【００３９】
ステップＳ６２において、制御手段５０は、加熱手段１４の駆動を停止させ、ステップＳ６３に移行する。ステップＳ６３において、制御手段５０は、ロック機構２０の動作を解除させ、ステップＳ６４に移行する。ステップＳ６４において、制御手段５０は、所定の第２報知内容を報知手段７０に報知させる。ここで、「所定の第２報知内容」は、例えば、電力が炊飯器１００に継続して供給されていない旨を知らせる内容である。
【００４０】
ステップＳ７０において、制御手段５０は、計時手段５０ｂの計時情報を用いて、炊飯モード又は保温モードを実行してから所定時間経過したか否かを判定する。ここで「所定時間」とは例えば、炊飯モードを実行してから収容物の炊飯を終了するまでに要する時間のことである。また「所定時間」とは例えば、保温モードを実行してから予め決定されている時間又は使用者が決定した時間のことである。
【００４１】
ステップＳ７０において、制御手段５０は、炊飯モード又は保温モードを実行してから所定時間経過したと判定した場合には（ステップＳ７０においてＹＥＳ）、ステップＳ８０に移行して炊飯を完了する。
一方、ステップＳ７０において、制御手段５０は、炊飯モード又は保温モードを実行してから所定時間経過したと判定していないと判定した場合には（ステップＳ７０においてＮＯ）、ステップＳ６０に移行する。
【００４２】
なお、以上の説明においては、ステップＳ６０において、制御手段５０は、炊飯器１００に対して電力が供給されなくなった場合（たとえば停電した場合）に、ステップＳ６２において加熱手段１４を停止し、ステップＳ６３においてロック機構２０の動作を解除し、ステップＳ６４において報知手段７０を動作させる例について説明したが、これに限定されない。
【００４３】
例えば、制御手段５０は、停電を検出した後に、停電を検出した時間が微小時間である場合には、電力が、微小時間の経過後に、加熱手段１４に対して供給されることが想定されるため、ロック機構２０の動作を解除しないようにしてもよい。このように構成することで、一時的に停電した場合においても、ロック機構２０のＯＮ／ＯＦＦが頻繁に切り替えられることなく、電力の消費を軽減できる。
【００４４】
以上のように、本実施の形態１に係る炊飯器１００は、加熱手段１４を有する加熱ユニット１０と、内釜３を収容し、加熱ユニット１０に取り付けられる本体ユニット１と、加熱ユニット１０に取り付けられた本体ユニット１を加熱ユニット１０に固定するように動作するロック機構２０と、各種操作指示を受け付ける操作手段１２と、ロック機構２０を制御する制御手段５０と、を備え、制御手段５０は、操作手段１２の操作に基づいてロック機構２０の動作を開始させる。このように、操作手段１２の操作に基づいてロック機構２０の動作を開始させることができるため、操作手段１２の操作に基づく各種モードを実行している場合に、加熱ユニット１０から本体ユニット１を取り外すような力が加わっても、本体ユニット１が加熱ユニット１０に取り付けられた状態を維持し、各種モードの実行を継続することができる。したがって、従来よりも使用性の良い炊飯器１００を得ることができる。
【００４５】
なお、操作表示部１１は、予約モード、炊飯モード、及び保温モードの何れかのモードを停止する停止ボタン（図示省略）を有するように構成してもよい。このように構成した場合には、予約モード、炊飯モード、及び保温モードの何れかのモードを実行している場合において、使用者が停止ボタンを操作した場合に、制御手段５０は、実行中のモードを停止させ、ロック機構２０の動作を解除させ、加熱手段１４を停止させる。これにより、使用者が、実行中のモードを停止して、本体ユニット１を所望の場所に移動させることができる。
【００４６】
実施の形態２．
本実施の形態２においては、実施の形態１とは異なり、予約モードを実行した場合にロック機構２０の動作を開始させるものである。なお、本実施の形態２において、特に記述しない項目については実施の形態１と同様とし、同一の機能や構成については同一の符号を用いて述べることとする。
【００４７】
図８は本発明の実施の形態２に係る炊飯器１００の制御手段５０の制御内容を示すフローチャートである。以下に、本実施の形態２に係る炊飯器１００の制御フローチャートの例について、図８のステップＳ１０〜ステップＳ８０を参照して説明する。
【００４８】
炊飯器１００に電源が接続されると制御手段５０が起動され、ステップＳ１０に移行する。ステップＳ１０において、制御手段５０は、操作手段１２の操作がされて予約モードが実行されると、計時手段５０ｂに計時を開始させ、ステップＳ２０に移行する。
【００４９】
なお、図８におけるステップＳ２０〜ステップＳ４０は、図７におけるステップＳ２０〜ステップＳ４０と同一の処理であるために、説明を割愛する。ステップＳ４０において、制御手段５０は、内釜３の内部に収容物が収容されていると判定した場合には（ステップＳ４０においてＹＥＳ）、ステップＳ４５に移行する。
【００５０】
ステップＳ４５において、制御手段５０は、計時手段５０ｂが計時を開始してから所定時間経過したか否か判定する。
ステップＳ４５において、制御手段５０は、計時手段５０ｂが計時を開始してから所定時間経過したと判定した場合には（ステップＳ４５においてＹＥＳ）、ステップＳ５０に移行する。
一方、ステップＳ５０において、制御手段５０は、計時手段５０ｂが計時を開始してから所定時間経過しなかったと判定した場合には（ステップＳ４５においてＮＯ）、ステップＳ４５を再度実行する。
【００５１】
なお、図８におけるステップＳ５０〜ステップＳ８０は、図７におけるステップＳ５０〜ステップＳ８０と同一の処理であるために、説明を割愛する。
【００５２】
以上のように、本実施の形態２に係る炊飯器１００は、加熱手段１４を有する加熱ユニット１０と、内釜３を収容し、加熱ユニット１０に取り付けられる本体ユニット１と、加熱ユニット１０に取り付けられた本体ユニット１を加熱ユニット１０に固定するように動作するロック機構２０と、ロック機構２０を制御する制御手段５０と、を備え、制御手段５０は、加熱手段１４の駆動を開始する駆動タイミングが経過するまで加熱手段１４の駆動を停止する予約モードを有し、予約モードが実行されるとロック機構２０の動作を開始させる。このように、操作手段１２の操作に基づいてロック機構２０の動作を開始させることができるため、操作手段１２の操作に基づく各種モードを実行している場合に、加熱ユニット１０から本体ユニット１を取り外すような力が加わっても、本体ユニット１が加熱ユニット１０に取り付けられた状態を維持し、各種モードの実行を継続することができる。したがって、従来よりも使用性の良い炊飯器１００を得ることができる。
【符号の説明】
【００５３】
１  本体ユニット、１ａ  炊飯器本体、１ａ１  挿入孔、１ｂ  蓋体、１ｃ  把持部、３  内釜、４  収納部、６  ヒンジ軸、８  蓋開閉ボタン、１０  加熱ユニット、１１  操作表示部、１１ａ  タイマー操作部、１１ｂ  時間調整部、１１ｃ  表示手段、１１ｄ  炊飯ボタン、１１ｅ  取消／保温ボタン、１２  操作手段、１３  ファンモータ、１４  加熱手段、１５  底センサー、２０  ロック機構、２１  ロック体、２２  ソレノイド、２３  付勢バネ、３３  基準位置判定手段、５０  制御手段、５０ａ  記憶手段、５０ｂ  計時手段、７０  報知手段、１００  炊飯器。
【図１】
2017047096.tif 000003
【図２】
2017047096.tif 000004
【図３】
2017047096.tif 000005
【図４】
2017047096.tif 000006
【図５】
2017047096.tif 000007
【図６】
2017047096.tif 000008
【図７】
2017047096.tif 000009
【図８】
2017047096.tif 000010